(57)【特許請求の範囲】
【請求項１】
術部を顕微鏡観察する手術用顕微鏡と、
前記術部に関する３次元画像データを保持する画像データ保持手段と、
前記術部の所望の部位を観察する観察手段と、
を具備し、
前記手術用顕微鏡と、前記観察手段とを組み合せて手術前に得られた断層画像との統合を図る術部観察システムであって、
前記観察手段に設けられ、前記観察手段の位置を固定した状態で、前記観察手段の視野を移動する視野移動手段と、
前記観察手段の３次元位置を検出する位置検出手段と、
前記画像データ保持手段が保持する前記術部の３次元画像データ、前記位置検出手段および前記視野移動手段による前記観察手段の視野の移動情報により、前記観察手段が観察している前記術部の観察部位の前記術部に対する３次元位置を演算するとともに、この演算結果により求められた前記術部の観察部位の前記術部に対する３次元位置を前記術部の３次元画像データに重畳して表示出力する演算部と
を具備することを特徴とする術部観察システム。
【請求項２】
前記観察手段は、
管腔内に挿入される挿入部を有する内視鏡と、
この内視鏡に着脱自在に連結されるＴＶカメラとを具備し、
前記ＴＶカメラは、
前記内視鏡によって観察される被検体の観察像を撮像する撮像手段と、
前記観察像の変倍を行う変倍光学系と、
前記内視鏡の位置を固定した状態で、少なくとも前記撮像手段の撮像範囲を移動させる撮像範囲移動手段または前記変倍光学系を移動させる変倍光学系移動手段のうちのいずれか一方と
を具備することを特徴とする請求項１に記載の術部観察システム。
【請求項３】
術部を顕微鏡観察する手術用顕微鏡と、
前記術部に関する３次元画像データを保持する画像データ保持手段と、
前記術部の所望の部位を観察する観察手段と、
を具備し、
前記手術用顕微鏡と、前記観察手段とを組み合せて手術前に得られた断層画像との統合を図る術部観察システムであって、
前記観察手段に設けられ、前記観察手段の位置を固定した状態で、前記観察手段の視野を移動する視野移動手段と、
前記観察手段の３次元位置を検出する位置検出手段と、
前記画像データ保持手段が保持する前記術部の３次元画像データ、前記位置検出手段および前記視野移動手段による前記観察手段の視野の移動情報により、前記観察手段が観察している前記術部の観察部位の前記術部に対する３次元位置を演算するとともに、この演算結果により求められた前記術部の観察部位の前記術部に対する３次元位置を前記術部の３次元画像データに重畳して表示出力する演算部と、
この演算部からの表示出力を表示する表示手段と、
この表示手段で表示された前記術部の画像に対して前記観察手段が観察する観察目的位置を入力する入力手段と、
この入力手段からの信号に基いて前記視野移動手段を駆動制御して前記観察目的位置に前記観察手段の視野を移動させる観察手段駆動制御手段と
を具備することを特徴とする術部観察システム。
【発明の詳細な説明】
【０００１】
【発明の属する技術分野】
本発明は、手術を行う患者の体内の術部の画像を観察する例えば脳外科手術に応用される術部観察システムに関する。
【０００２】
【従来の技術】
近年、手術用顕微鏡を用いて微細な手術を行うマイクロサージャリーにおいては、画像診断技術の発展もあり、断層画像を用いた手術前の手術計画作成、さらには手術中にもそれら画像情報を有効利用し、より安全な手術を目指して手術機器の改良が進められている。
【０００３】
特に、脳外科分野では、手術用顕微鏡での観察位置あるいは、手術で併用される内視鏡（硬性鏡）や、処置具等の位置を検出し、手術前に得られた断層画像との統合を図ることが行われている。
【０００４】
また、本出願人は、特願平１０−３１９１９０号において、手術前に得られた断層画像に基づいて作成した３次元画像データに、手術用顕微鏡の観察位置のデータと処置具先端の位置のデータとを重畳してモニタ上に表示する手術用顕微鏡のシステムを開示している。
【０００５】
さらに、本出願人が特開平９−２８６６３号公報に開示しているように、硬性鏡や、ＴＶカメラの撮像部の位置を固定した状態で、撮像部の視野を移動させる視野移動機能を備えた内視鏡装置がある。この装置では、硬性鏡や、ＴＶカメラの撮像部の位置を固定した状態で、撮像部の視野移動を行えるため、視野移動時に生体組織に損傷を与えることがなく、安全性が高い。
【０００６】
【発明が解決しようとする課題】
ところで、特願平１０−３１９１９０号の手術用顕微鏡のシステムと、この特開平９−２８６６３号公報の装置とを組み合せた術部観察システムを処置対象の生体組織が非常にデリケートである脳外科手術に応用することは、微細な脳外科手術を安全に行ううえで絶大な効果を発揮できると考えられる。
【０００７】
このように手術用顕微鏡と、視野移動機能を備えた内視鏡装置とを組み合せた術部観察システムを脳外科手術の分野に応用する場合、内視鏡の先端位置を検出して前述の３次元画像データに重畳してモニタ上に表示することで、術者に内視鏡装置での観察範囲のデータと、患者の解剖構造のデータとを関連付けて掌握可能な情報を呈示できる。
【０００８】
この場合、従来の手術用顕微鏡の観察位置のデータを検出する位置検出手段で検出される位置データは内視鏡における挿入部の先端位置である。そのため、視野移動機能を備えていない通常の撮像装置が内視鏡と組み合わされているシステムの場合には、内視鏡の視軸中心位置は撮像画像の中心位置とほぼ一致するため、内視鏡の先端位置はほぼ撮像画像の範囲を表していると言える。
【０００９】
しかしながら、前述の視野移動機能を備えた内視鏡装置と組み合わされているシステムの場合には、撮像装置の視野移動を行うことにより撮像画像の中心位置が内視鏡の光軸中心位置からずれる問題がある。そのため、この視野移動機能を備えた内視鏡装置を従来の手術用顕微鏡のシステムに組合わせて用いた場合、検出された内視鏡における挿入部の先端位置のデータは撮像画像の観察位置を正確には表していない場合がある。
【００１０】
本発明は上記事情に着目してなされたもので、その目的は、手術用顕微鏡と、視野移動機能を備えた内視鏡装置とを組み合せたシステムを使用して、視野移動を行った場合でも、撮像画像の観察位置を正しく検出して術者に呈示することができる術部観察システムを提供することにある。
【００１１】
【課題を解決するための手段】
請求項１の発明は、術部を顕微鏡観察する手術用顕微鏡と、前記術部に関する３次元画像データを保持する画像データ保持手段と、前記術部の所望の部位を観察する観察手段と、を具備し、前記手術用顕微鏡と、前記観察手段とを組み合せて手術前に得られた断層画像との統合を図る術部観察システムであって、前記観察手段に設けられ、前記観察手段の位置を固定した状態で、前記観察手段の視野を移動する視野移動手段と、前記観察手段の３次元位置を検出する位置検出手段と、前記画像データ保持手段が保持する前記術部の３次元画像データ、前記位置検出手段および前記視野移動手段による前記観察手段の視野の移動情報により、前記観察手段が観察している前記術部の観察部位の前記術部に対する３次元位置を演算するとともに、この演算結果により求められた前記術部の観察部位の前記術部に対する３次元位置を前記術部の３次元画像データに重畳して表示出力する演算部と
を具備することを特徴とする術部観察システムである。
そして、本請求項１の発明では、観察手段によって術部の所望の部位を観察する際に、視野移動手段によって観察手段の視野を移動する。このとき、位置検出手段によって観察手段の３次元位置を検出する。さらに、画像データ保持手段が保持する術部の３次元画像データ、位置検出手段および視野移動手段による観察手段の視野の移動情報により、観察手段が観察している術部の観察部位の術部に対する３次元位置を演算部によって演算するとともに、この演算結果により求められた術部の観察部位の術部に対する３次元位置を術部の３次元画像データに重畳して表示出力するようにしたものである。
【００１２】
請求項２の発明は、前記観察手段は、管腔内に挿入される挿入部を有する内視鏡と、この内視鏡に着脱自在に連結されるＴＶカメラとを具備し、前記ＴＶカメラは、前記内視鏡によって観察される被検体の観察像を撮像する撮像手段と、前記観察像の変倍を行う変倍光学系と、前記内視鏡の位置を固定した状態で、少なくとも前記撮像手段の撮像範囲を移動させる撮像範囲移動手段または前記変倍光学系を移動させる変倍光学系移動手段のうちのいずれか一方とを具備することを特徴とする請求項１に記載の術部観察システムである。
そして、本請求項２の発明では、内視鏡と、この内視鏡に着脱自在に連結されるＴＶカメラとによって観察手段を構成する。さらに、内視鏡によって観察される被検体の観察像をＴＶカメラの撮像手段によって撮像し、変倍光学系によって観察像の変倍を行うとともに、撮像範囲移動手段によって撮像手段の撮像範囲を移動させ、または変倍光学系移動手段によって変倍光学系を移動させるようにしたものである。
【００１３】
請求項３の発明は、術部を顕微鏡観察する手術用顕微鏡と、前記術部に関する３次元画像データを保持する画像データ保持手段と、前記術部の所望の部位を観察する観察手段と、を具備し、前記手術用顕微鏡と、前記観察手段とを組み合せて手術前に得られた断層画像との統合を図る術部観察システムであって、前記観察手段に設けられ、前記観察手段の位置を固定した状態で、前記観察手段の視野を移動する視野移動手段と、前記観察手段の３次元位置を検出する位置検出手段と、前記画像データ保持手段が保持する前記術部の３次元画像データ、前記位置検出手段および前記視野移動手段による前記観察手段の視野の移動情報により、前記観察手段が観察している前記術部の観察部位の前記術部に対する３次元位置を演算するとともに、この演算結果により求められた前記術部の観察部位の前記術部に対する３次元位置を前記術部の３次元画像データに重畳して表示出力する演算部と、この演算部からの表示出力を表示する表示手段と、この表示手段で表示された前記術部の画像に対して前記観察手段が観察する観察目的位置を入力する入力手段と、この入力手段からの信号に基いて前記視野移動手段を駆動制御して前記観察目的位置に前記観察手段の視野を移動させる観察手段駆動制御手段とを具備することを特徴とする術部観察システムである。
そして、本請求項３の発明では、請求項１の演算部からの表示出力を表示手段に表示させる。さらに、この表示手段で表示された術部の画像に対して入力手段によって観察手段が観察する観察目的位置を入力したのち、この入力手段からの信号に基いて観察手段駆動制御手段によって視野移動手段を駆動制御して観察目的位置に観察手段の視野を移動させるようにしたものである。
【００１４】
【発明の実施の形態】
以下、本発明の第１の実施の形態を図１乃至図５を参照して説明する。図１は本実施の形態の術部観察システムである手術用顕微鏡システム全体の概略構成を示すものである。図１中で、１は手術室に設置されている手術用顕微鏡（観察装置）、２はこの手術用顕微鏡１の鏡体、６１は患者３２が載せられている手術用ベッドである。ここで、手術用顕微鏡１の架台３には、床面を移動可能なベース４と、このベース４上に立設された支柱５とが設けられている。なお、手術用顕微鏡１の架台３は手術室内における手術用ベッド６１の先端部側（例えばベッド６１上の患者３２の頭部が配置される側）に配置されている。
【００１５】
さらに、支柱５の上部には、手術用顕微鏡１の鏡体２を任意の方向に移動可能に支持する支持機構６２が設けられている。この支持機構６２には第１アーム６と、第２アーム７と、第３アーム８とが設けられている。ここで、第１アーム６には図示しない照明用光源が内蔵されている。そして、この第１アーム６の一端部は支柱５の上部に略鉛直方向の軸Ｏ１を中心に回転自在に取付けられている。
【００１６】
さらに、第１アーム６の他端部には、第２アーム７の一端部が略鉛直方向の軸Ｏ２を中心に回転自在に取付けられている。この第２アーム７はリンク機構とバランス調整用のスプリング部材とからなるパンタグラフアームによって形成され、上下方向に移動操作可能になっている。
【００１７】
また、第２アーム７の他端部には、第３アーム８の一端が略鉛直方向の軸Ｏ３を中心に回転自在に取付けられている。この第３アーム８の他端には手術用顕微鏡１の鏡体２が連結されている。さらに、この第３アーム８は、略水平面上で、互いに直交する方向の２つの軸Ｏ４，Ｏ５を中心としてそれぞれ回転自在に支持されている。そして、鏡体２はこの第３アーム８によって軸Ｏ４を中心として術者の観察方向に対する前後方向の俯仰を可能に、かつ軸Ｏ５を中心として術者の左右方向の俯仰を可能にそれぞれ支持されている。
【００１８】
また、支持機構６２の各回転軸Ｏ１〜Ｏ５における軸受部には図示しない電磁ブレーキが各々設けられている。この電磁ブレーキは支柱５に内蔵された図示しない電磁ブレーキ電源回路と接続されている。さらに、この電磁ブレーキ電源回路は、図２に示すように鏡体２に一体に固定されたグリップ９に設けられたスイッチ１０と接続されている。
【００１９】
そして、スイッチ１０によって各回転軸Ｏ１〜Ｏ５の電磁ブレーキがオンオフ操作されるようになっている。ここで、スイッチ１０が例えばオン操作された場合には各回転軸Ｏ１〜Ｏ５の電磁ブレーキがオフ操作されることにより、支持機構６２がロック解除状態で保持され、鏡体２が空間的に自由に位置調整を行うことができるようになっている。そして、スイッチ１０がオフ操作された場合には各回転軸Ｏ１〜Ｏ５の電磁ブレーキがオン操作されて支持機構６２がロック状態に切換えられ、鏡体２の位置固定が行われるようになっている。
【００２０】
また、図４は手術用顕微鏡１の鏡体２の概略構成を示すものである。この鏡体２には、１つの対物レンズ１１と、左右一対の観察光学系１４Ａ，１４Ｂとが設けられている。ここで、左右の各観察光学系１４Ａ，１４Ｂの観察光軸上には変倍光学系１２と、左右の結像レンズ１３ａ，１３ｂと、左右の接眼レンズ１４ａ，１４ｂとが順に配置されている。そして、この左右一対の観察光学系１４Ａ，１４Ｂによって立体観察光学系が構成されている。
【００２１】
また、結像レンズ１３ａ，１３ｂによる結像面は、それぞれ接眼レンズ１４ａ，１４ｂの焦点位置に配置されるように設置されている。なお、図２中の１５は鏡体２の立体観察光学系の焦点位置、図４中の１６は対物レンズ１１のレンズ位置を検出する位置センサーをそれぞれ示すものである。ここで、対物レンズ１１は図示しないモーターと連結されて光軸方向に移動可能に支持されている。そして、この対物レンズ１１の光軸方向のレンズ位置が位置センサー１６により検出できるように構成されている。
【００２２】
また、図２に示すように鏡体２上には、後述するデジタイザ（位置検出手段）２６が鏡体２の３次元座標を検出するための信号板１７がこの鏡体２の側面の所定の位置に位置決めされ、一体に固定されている。この信号板１７には信号部材として複数、本実施の形態では３つのＬＥＤ１８ａ、１８ｂ、１８ｃが一体的に固定されている。これらのＬＥＤ１８ａ、１８ｂ、１８ｃはそれぞれ、図１、図３に示すＬＥＤ制御装置１９と接続されている。さらに、このＬＥＤ制御装置１９は計測装置２０と接続されている。
【００２３】
また、鏡体２には、多関節マニピュレータ２１が連結されている。この多関節マニピュレータ２１には複数のアームと、各アーム間の連結部に配置された回動可能な関節とが設けられている。この関節には各々図示しない電磁ブレーキが設けられている。さらに、この多関節マニピュレータ２１の先端には内視鏡である硬性鏡（観察手段）３３を把持可能な硬性鏡接続部２２が設けられている。この硬性鏡接続部２２には硬性鏡３３が所定の位置に位置決めされた状態で、着脱可能に連結されている。
【００２４】
また、硬性鏡３３には図３に示すように視野移動機能を備えたＴＶカメラ（観察手段）３４が着脱自在に接続されている。図５はこの視野移動機能を備えたＴＶカメラ３４を示すものである。このＴＶカメラ３４には、観察像の変倍を行うズームレンズ（変倍光学系）４０と、このズームレンズ４０を移動させるズームレンズ移動機構（変倍光学系移動手段）４１と、硬性鏡３３によって観察される被検体の観察像を撮像するＣＣＤ（撮像手段）４２と、このＣＣＤ４２の撮像範囲を移動させるＣＣＤ移動機構（撮像範囲移動手段）４３とが設けられている。このＣＣＤ移動機構４３はＸＹステージで構成されている。なお、このＣＣＤ移動機構４３の詳細構造については、本出願人より既に出願された特願平１０−３１９１９０号に開示されている。
【００２５】
また、ＴＶカメラ３４は図３に示すように視野移動制御装置３５およびカメラコントロールユニット３６に接続されている。ここで、カメラコントロールユニット３６はモニタ（表示手段）３７に接続されている。さらに、視野移動制御装置３５は演算部にあたるワークステーション２３および例えば、処置具等に取り付けられる視野移動指令スイッチ（入力手段）３８と接続されている。
【００２６】
また、ＴＶカメラ３４には、後述するデジタイザ２６が３次元座標を検出するための信号板２４が着脱自在に固定されている。この信号板２４は、図２に示すようにＴＶカメラ３４の側面の所定の位置に位置決めされている。さらに、信号板２４には信号部材として４個のＬＥＤ２５ａ、２５ｂ、２５ｃ、２５ｄが一体に固定されている。これらのＬＥＤ２５ａ、２５ｂ、２５ｃ、２５ｄもまた図３に示すように、それぞれＬＥＤ制御装置１９と接続されている。
【００２７】
また、手術室内には、鏡体２上の信号板１７のＬＥＤ１８ａ、１８ｂ、１８ｃおよびＴＶカメラ３４の信号板２４のＬＥＤ２５ａ、２５ｂ、２５ｃ、２５ｄの３次元座標における位置を検出するための光学式位置検出装置であるデジタイザ２６が設置されている。このデジタイザ２６は図１に示すように手術室内における手術用ベッド６１の基端部側（例えばベッド６１上の患者３２の足元側が配置される側）に配置されている。
【００２８】
このデジタイザ２６は、受信部材として２台のＣＣＤカメラ２７ａ、２７ｂと、各ＣＣＤカメラ２７ａ、２７ｂの位置を固定させているカメラ支持部材２８と、スタンド３０とにより構成されている。また、各ＣＣＤカメラ２７ａ、２７ｂは夫々計測装置２０と接続されている。この計測装置２０はさらにＡ／Ｄ変換器２９を介してワークステーション２３と接続されている。
【００２９】
このワークステーション２３はモニタ３９と接続されている。さらに、このワークステーション２３には記憶部（画像データ保持手段）２３ａが内蔵されている。このワークステーション２３の記憶部２３ａには術前においてあらかじめＣＴや、ＭＲＩといった図示しない画像診断装置による断層画像データ、および断層画像データを加工して３次元に再構築されたデータが記録されている。
【００３０】
また、図２に示すように治療対象となる患者３２２の頭部３２ａには、３つのマーク部材３１ａ、３１ｂ、３１ｃが張り付けられている。なお、図２中で、Ｏｂ−ＸｂＹｂＺｂはマーク部材３１ａ、３１ｂ、３１ｃを基準に定義される生体座標系である。
【００３１】
次に、上記構成の本実施の形態の作用について説明する。ここでは、例えば患者３２の頭部３２ａの脳外科手術を本実施の形態の手術用顕微鏡１のシステムで行う場合について説明する。まず、手術前にあらかじめ撮影したＣＴ、ＭＲＩ装置などの断層画像を３次元画像データに再構築し、ワークステーション２３の記憶部２３ａに記録する。
【００３２】
また、手術を始めるに当たっては、ワークステーション２３内の断層画像データと術部との相関をとるべくマーク部材３１ａ、３１ｂ、３１ｃを用いてキャリブレーション（生体座標系Ｏｂ−ΧｂＹｂＺｂの記憶）を行う。
【００３３】
このキャリブレーションの作業時には手術前に、ＣＴ・ＭＲＩ装置等で撮影可能なマーク部材３１ａ、３１ｂ、３１ｃを患者３２の頭部３２ａに貼りつけ、ＣＴ・ＭＲＩ装置等で、断層像を撮影する。この断層像を３次元画像に再構築し、ワークステーション２３の記憶部２３ａに記録する。この３次元画像の座標系はマーク部材３１ａ、３１ｂ、３１ｃの位置を基準にして設定される。
【００３４】
そして、手術を始めるに際して、術前に構築された３次元画像の座標系と実像の術部との相関は次のようにしてとる。まず、ベッド６１に固定された患者３２の頭部３２ａに貼りつけられたマーク部材３１ａ、３１ｂ、３１ｃを信号部材であるＬＥＤ２５ａ、２５ｂ、２５ｃ、２５ｄが取り付けられたプローブである硬性鏡３３で指し示し、デジタイザ２６によってマーク部材３１ａ、３１ｂ、３１ｃの３次元位置を検出する。
【００３５】
その後、ここで検出された位置に基づいて、デジタイザ２６で検出する３次元位置座標系−すなわち生体座標系が定義される。そして、これら２つの座標系におけるマーク部材３１ａ、３１ｂ、３１ｃの位置により、構築された３次元画像の座標系を生体座標系に変換することによって、断層画像に基づいて構築された術部４５の３次元画像は、生体座標系に基づいてモニタ３９上に表示される。
【００３６】
以上のキャリブレーション作業により、ワークステーション２３には生体座標系が記憶され、術部４５の３次元画像データはモニタ３９上で画像における生体座標系に表示される。その後、術者４４は手術用顕微鏡１の鏡体２のグリップ９を握り、スイッチ１０を押すことにより軸Ｏ１〜Ｏ５に内蔵された電磁ブレーキを解除し、鏡体２を移動して術部４５の観察部位に焦点位置１５を位置決めする。
【００３７】
また、手術用顕微鏡１による観察時には術部４５から発せられた光束は、鏡体２に入射する。このとき、対物レンズ１１から鏡体２に入射した光束は、変倍光学糸１２、結像レンズ１３ａ・１３ｂ、接眼レンズ１４ａ・１４ｂを透過して観察され、術者４４は術部４５を所望の倍率で観察する。なお、観察後の焦点位置が合わないときは、対物レンズ１１を図示しないモータにより駆動し、合焦を行う。
【００３８】
また、手術用顕微鏡１による観察中、デジタイザ２６は鏡体２上の信号板１７のＬＥＤ１８ａ、１８ｂ、１８ｃを検出し、その検出信号は計測装置２０およびＡ／Ｄ変換器２９で信号処理されて、ワークステーション２３によって信号板１７の生体座標系における位置および姿勢が検出される。ここで、信号板１７は鏡体２の所定位置に取り付けられているので、演算により鏡体２の生体座標系に対する位置および姿勢が算出される。
【００３９】
また、位置センサ１６により対物レンズ１１の位置情報がワークステーション２３に伝送される。このとき、ワークステーション２３では対物レンズ１１の位置情報から鏡体２に対する焦点位置１５の相対位置が算出される。さらに、鏡体２の生体座標系における位置および姿勢と、鏡体２に対する焦点位置１５の相対位置とから、生体座標系における焦点位置１５の位置が演算される。このとき、モニタ３９には画像上の生体座標系に３次元画像データと焦点位置１５が重畳されて表示される。
【００４０】
以上の動作により、術者４３はモニタ３９の画面を目視することにより、モニタ３９の画面に表示された３次元画像データによる術部４５の画像に焦点位置１５が重畳された画像を観察することができる。そして、このモニタ３９の表示画像を観察することにより、３次元画像データによる画像上において、顕微鏡１の観察位置を知ることができる。
【００４１】
また、硬性鏡３３は、多関節マニピュレータ２１に保持され、手術用顕微鏡１ではカバーしきれない領域を観察できるような位置に固定されている。そして、術者４３自身、または助手が術者の指示に従って視野移動指令スイッチ３８を操作することにより、ＴＶカメラ３４および硬性鏡３３を移動することなしに視野移動を行い、所望の視野を得ることができる。
【００４２】
このＴＶカメラ３４の生体座標系における観察位置は、次のようにして算出される。まず、デジタイザ２６は、ＴＶカメラ３４側の信号板２４に一体に固定されているＬＥＤ２５ａ、２５ｂ、２５ｃ、２５ｄを検出する。そのデジタイザ２６からの検出信号は計測装置２０およびＡ／Ｄ変換器２９で信号処理されて、ワークステーション２３によって信号板２４の生体座標系における位置座標および姿勢が検出される。なお、手術用顕微鏡１の鏡体２に取り付けられている信号板１７とＴＶカメラ３４側の信号板２４との区別は、それぞれの信号板に固定されているＬＥＤの発光色を変えることや、ＬＥＤ制御回路１９でそれぞれのＬＥＤを時分割駆動することで識別を行うようになっている。
【００４３】
また、硬性鏡接続部２２は硬性鏡３３を所定の位置で固定しているので、この硬性鏡３３の固定部から硬性鏡３３の先端までの硬性鏡３３の長さは既知である。よって、この硬性鏡３３の長さにより硬性鏡３３先端の位置座標および姿勢がワークステーション２３により検出される。
【００４４】
さらに、ＴＶカメラ３４内のＣＣＤ４２の２次元位置座標は視野移動制御装置３５で保持されている。そして、この視野移動制御装置３５から出力されるＣＣＤ４２の２次元位置座標はワークステーション２３に入力される。この２次元座標は、硬性鏡３３の先端位置に対する相対位置であり、硬性鏡３３によってＴＶカメラ３４に伝達され、撮像される観察画像の光軸中心からのずれを表すものである。
【００４５】
また、このＣＣＤ４２の２次元座標の上下左右方向と、信号板２４のＴＶカメラ３４への取り付け位置との関係は既知であることから、ワークステーション２３は、入力されたＣＣＤ４２の２次元座標と硬性鏡３３の先端位置座標および、ＴＶカメラ３４のズーム倍率により、生体座標系におけるＴＶカメラ３４の観察位置を検出する。ここで、ズームレンズ４０の位置は、視野移動制御装置３５に保持されており、この位置の入力によりワークステーション２３はＴＶカメラ３４のズーム倍率を算出する。そして、手術用顕微鏡１の焦点位置１５が重畳されている３次元画像データが表示されているモニタ３９に、さらにＴＶカメラ３４の観察位置が重畳して表示される。
【００４６】
そこで、上記構成のものにあっては次の効果を奏する。すなわち、本実施の形態では、手術用顕微鏡１と視野移動機能を備えたＴＶカメラ３４とを併用した手術用顕微鏡システムにおいて、ＴＶカメラ３４の観察位置を検出してモニタ３９上に表示されている術部４５の３次元画像データにこのＴＶカメラ３４の観察位置を重畳して表示するようにしたので、視野移動を行った状態でもＴＶカメラ３４の観察位置を術者４４に正確に認識させることができる。そのため、例えば微細な脳外科手術を安全に行う際に、手術時間の短縮、術者の疲労低減を図ることができる。
【００４７】
なお、本実施の形態で用いているＴＶカメラ３４の代わりに、可撓性のある挿入部を有し、その挿入部に湾曲機構が、また先端にＣＣＤが備えられた軟性内視鏡を使用してもよい。この場合、内視鏡には挿入部の湾曲角を検出する手段が備えられ、ワークステーション２３にはこの湾曲角から内視鏡の挿入部の先端位置を算出する処理アルゴリズムが備えられている。
【００４８】
また、図６および図７は本発明の第２の実施の形態を示すものである。本実施の形態は第１の実施の形態（図１乃至図５参照）のＴＶカメラ３４に取り付けられている信号板２４を省略し、代わりにＴＶカメラ３４の観察位置を検出してモニタ３９上に表示されている術部４５の３次元画像データに重畳して表示する構成に変更したものである。なお、図６および図７中で、第１の実施の形態の手術用顕微鏡システムと同一部分には同一の符号を付してここではその説明を省略する。
【００４９】
また、本実施の形態では、図７に示すように鏡体２に連結されている多関節マニピュレータ４６は次の通り構成されている。すなわち、本実施の形態の多関節マニピュレータ４６には第１アーム４７と、第２アーム４８と、第３アーム４９と、ＴＶカメラ接続部５０と、回動可能な６つの関節５１ａ〜５１ｆとがそれぞれ設けられている。
【００５０】
ここで、第１アーム４７の一端は、鏡体２に一体に固定されている。さらに、第１アーム４７の他端と、第２アーム４８の一端との間の連結部には回転軸Ｓ１を中心に回転する関節５１ａと、紙面に垂直な回転軸Ｓ２を中心に回転する関節５１ｂとが配設されている。
【００５１】
同様に、第２アーム４８の他端と、第３アーム４９の一端との間の連結部には回転軸Ｓ３を中心に回転する関節５１ｃと、紙面に垂直な回転軸Ｓ４を中心に回転する関節５１ｄとが配設されている。
【００５２】
また、第３アーム４９の他端と、ＴＶカメラ接続部５０の一端との間の連結部には回転軸Ｓ５を中心に回転する関節５１ｅと、紙面に垂直な回転軸Ｓ６を中心に回転する関節５１ｆとが配設されている。
【００５３】
さらに、ＴＶカメラ接続部５０の他端にはＴＶカメラ３４を支持可能な回動部５２が設けられている。このＴＶカメラ接続部５０の回動部５２は回転軸Ｓ７を中心に回転可能に支持されている。そして、このＴＶカメラ接続部５０の回動部５２にはＴＶカメラ３４が着脱可能に連結されている。このとき、ＴＶカメラ接続部５０の回動部５２はＴＶカメラ３４の所定の位置に位置決めされている。
【００５４】
また、各関節５１ａ〜５１ｆおよび回動部５２には、エンコーダ５３ａ〜５３ｇが備えられている。これらのエンコーダ５３ａ〜５３ｇは図６に示すようにワークステーション２３と接続されている。これにより、各関節５１ａ〜５１ｆおよび回動部５２の角度検出が可能である多関節マニピュレータ４６が構成されている。さらに、各関節５１ａ〜５１ｆおよび回動部５２には図示しない電磁ブレーキが各々設けられている。
【００５５】
次に、本実施の形態の作用について説明する。本実施の形態では、第１の実施の形態と同様の手順で手術用顕微鏡１の鏡体２が位置決めされ、生体座標系における焦点位置１５の位置が術部４５の３次元画像データに重畳されモニタ３９上に表示される。
【００５６】
また、生体座標系におけるＴＶカメラ３４の観察位置は以下のようにして算出される。すなわち、多関節マニピュレータ４６の各関節５１ａ〜５１ｆおよび回動部５２の回転角は、エンコーダ５３ａ〜５３ｇによりワークステーション２３に伝送される。このとき、ワークステーション２３では、一般的に知られている公知の数学的手法により鏡体２に固定されている第１アーム４７に対する第２アーム４８の位置と、第２アーム４８に対する第３アーム４９の位置と、第３アーム４９に対するＴＶカメラ接続部５０の位置とが順次計算される。
【００５７】
さらに、ＴＶカメラ接続部５０の回動部５２は所定の位置でＴＶカメラ３４を固定しているので、この所定のＴＶカメラ３４の固定位置から硬性鏡３３の先端までの長さは既知である。よって、このＴＶカメラ３４の固定位置から硬性鏡３３の先端までの長さにより硬性鏡３３の先端の位置座標および姿勢がワークステーション２３により検出される。
【００５８】
また、ＴＶカメラ３４内のＣＣＤ４２の２次元位置座標は視野移動制御装置３５で保持されている。そして、この視野移動制御装置３５から出力されるＣＣＤ４２の２次元位置座標はワークステーション２３に入力される。この２次元座標は、硬性鏡３３の先端位置に対する相対位置であり、硬性鏡３３によってＴＶカメラ３４に伝達され、撮像される観察画像の光軸中心からのずれを表すものである。
【００５９】
さらに、多関節マニピュレータ４６のＴＶカメラ接続部５０の回動部５２に設けられたエンコーダ５３ｇにより、ＴＶカメラ３４の回転角を検出することにより、ＣＣＤ４２の２次元座標の上下左右方向と硬性鏡３３の先端の位置との相関をとることができる。これにより、ワークステーション２３は、ＣＣＤ４２の２次元座標と硬性鏡３３の先端位置の座標とにより、生体座標系におけるＴＶカメラ３４の観察位置を検出する。そして、手術用顕微鏡１の焦点位置１５が重畳されている３次元画像データが表示されているモニタ３９に、さらにＴＶカメラ３４の観察位置も重畳して表示される。
【００６０】
そこで、本実施の形態によれば、ＴＶカメラ３４の観察位置を検出してモニタ３９上に表示されている術部４５の３次元画像データに重畳して表示するようにしたので、第１の実施の形態のようにＴＶカメラ３４に取り付けられている信号板２４をデジタイザ２６で撮影することなく、モニタ３９上に表示されている術部４５の３次元画像データにＴＶカメラ３４の観察位置を重畳して表示することができる。そのため、デジタイザ２６の設置の自由度が増し、限られた手術空間を有効に使うことができる。
【００６１】
なお、第１の実施の形態と同様に、ＴＶカメラ３４の代わりに湾曲機構を有する内視鏡を使用しても同様の効果を得ることができる。
【００６２】
また、図８乃至図１０は本発明の第３の実施の形態を示すものである。本実施の形態は第１の実施の形態（図１乃至図５参照）の手術用顕微鏡システムの構成を次の通り変更したものである。
【００６３】
すなわち、本実施の形態では図８に示すように、ワークステーション２３に２Ｄポインタ５４が接続されている。この２Ｄポインタ５４は、２次元平面上の変位を検出可能であるトラックボール、ジョイスティックなどが適する。
【００６４】
また、ワークステーション２３と視野移動制御装置３５との接続は、ＴＶカメラ３４に内蔵されたＣＣＤ４２の２次元位置を伝送するための信号線に加え、視野移動指令を伝送する信号線が新たに設けられている。
【００６５】
また、図９はモニタ３９に表示される画像を示す。このモニタ３９の表示画像には患者３２の頭部３２ａの術前断層画像に基づいて３次元に再構築された術部４５の画像とともに、ワークステーション２３により算出される硬性鏡３３の先端部分の画像と、さらに手術用顕微鏡１の焦点距離を表すグラフィックカーソル５５と、視野移動機能を有するＴＶカメラ３４の観察位置を示すグラフィックカーソル５６とがそれぞれ重畳表示されている。
【００６６】
次に、上記構成の本実施の形態の作用について説明する。本実施の形態の手術用顕微鏡システムの使用時には、モニタ３９に図９に示す画像が表示されている状態で、術者４４の指示を受けた助手は、術部４５の３次元画像データに上記の情報が重畳表示されているモニタ３９の画像を観察しながら、２Ｄポインタ５４を操作する。このとき、ワークステーション２３は、この２Ｄポインタ５４で検出される２次元位置情報に基づいて、グラフィックカーソル５６の位置を移動させる。
【００６７】
そして、観察したい位置にまでグラフィックカーソル５６を移動させたのち、図示しない動作スイッチをＯＮすることにより、カーソル５６で指定した位置が撮像されるようにＴＶカメラ３４によって視野移動動作が行われる。
【００６８】
この処理を図１０のフローチャートを用いて説明する。まず、ステップＳ１ではワークステーション２３は、２Ｄポインタ５４から入力される２次元位置信号に基づいて、グラフィックカーソル５６を移動させる。このグラフィックカーソル５６の移動は、硬性鏡３３先端の３次元位置および姿勢から算出される撮像平面上に限定される。
【００６９】
さらに、グラフィックカーソル５６移動後、次のステップＳ２で視野移動指令スイッチ３８がＯＮされる状態を検知すると、次のステップＳ３に進む。このステップＳ３ではグラフィックカーソル５６の生体座標系における位置座標を、硬性鏡３３先端の３次元位置座標およびＴＶカメラ３４のズーム倍率を用いて、ＴＶカメラ３４の内部のＣＣＤ移動機構４３を動作させるための指令位置に変換する。
【００７０】
その後、次のステップＳ４で、この算出した指令位置を視野移動制御装置３５に出力し、グラフィックカーソル５６によって指定した位置までの視野移動を行う。
【００７１】
そこで、上記構成のものにあっては次の効果を奏する。すなわち、本実施の形態では、観察したい位置をモニタ３９上のグラフィックカーソル５６で指定することで、ＴＶカメラ３４の視野移動を行うことができるため、視野移動指令スイッチ３８による操作に比べて、より簡単な操作で所望の視野を得ることができる。
【００７２】
なお、本実施形態は第２の実施の形態に応用してもよい。また、以上すべての実施の形態において、ワークステーション２３によって生成される３次元画像データや、ＴＶカメラ３４によって撮像された画像を、図示しない画像信号ミキサーによって手術用顕微鏡１で観察を行う術部４５と同時に観察できるように、図示しないハーフミラーを鏡体２に設ける構成にしてもよい。
【００７３】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  術部に対する顕微鏡の３次元位置を検出する第１の検出手段と、
視野移動機能を具備する観察手段の術部に対する３次元位置を検出する第２の検出手段と、
前記観察手段の位置に対する観察位置を検出する第３の検出手段と、
前記第１、第２および第３の検出手段の検出結果に基づき、前記観察位置の術部に対する３次元位置を演算する演算部と、
を具備した手術用顕微鏡システム。
【００７４】
（付記項２）  付記項１において、観察手段は、
硬性の内視鏡と、
前記内視鏡の観察像を撮像する撮像手段と、前記観察像の変倍を行う変倍光学系と、前記撮像手段の撮像範囲を移動させる撮像範囲移動手段と、前記変倍光学系を移動させる変倍光学系移動手段とを具備し、前記内視鏡と着脱自在に連結されるＴＶカメラと、
からなる。
【００７５】
（付記項３）  付記項１において、観察手段は、
可とう性を有する挿入部と、前記挿入部先端を湾曲させる湾曲機構と、前記挿入部先端に配置された撮像手段とを具備した内視鏡である。
【００７６】
（付記項４）  術部に対する顕微鏡の観察位置を検出する第１の検出手段と、
視野移動機能を具備する観察手段の術部に対する３次元位置を検出する第２の検出手段と、
前記観察手段の位置に対する観察位置を検出する第３の検出手段と、
前記第１、第２及び第３の検出手段の検出結果に基づき、前記観察位置の術部に対する３次元位置を演算し、演算された３次元位置と術部の断層画像との重畳画像を生成する演算部と、
前記重畳画像を表示する表示手段と、
前記観察手段による観察目的位置を入力する入力手段と、
前記入力手段からの信号に基づいて、前記観察目的位置を観察可能とするように観察手段の視野を移動量させる観察手段駆動制御手段と、
を具備した手術用顕微鏡システム。
【００７７】
（付記項５）  付記項４において、観察手段は、
硬性の内視鏡と、
前記内視鏡の観察像を撮像する撮像手段と、前記観察像の変倍を行う変倍光学系と、前記撮像手段の撮像範囲を移動させる撮像範囲移動手段と、前記変倍光学系を移動させる変倍光学系移動手段とを具備し、前記内視鏡と着脱自在に連結されるＴＶカメラと、
からなる。
【００７８】
（付記項６）  付記項４において、
観察手段は、可とう性を有する挿入部と、前記挿入部先端を湾曲させる湾曲機構と、前記挿入部先端に配置された撮像手段とを具備した内視鏡である。
【００７９】
（付記項７）  付記項４〜６において、
入力手段は、前記表示手段の画像表示面に組み付けられたタッチパネルである。
【００８０】
（付記項１〜７の従来技術）  近年、手術用顕微鏡を用いて微細な手術を行うマイクロサージャリーにおいては、画像診断技術の発展もあり、断層画像を用いた手術前の手術計画作成、さらには手術中にもそれら画像情報を有効利用し、より安全な手術を目指して手術機器の改良が進められている。
【００８１】
特に脳外科分野では、手術用顕微鏡での観察位置あるいは、手術で併用される内視鏡（硬性鏡）や処置具等の位置を検出し、手術前に得られた断層画像との統合を図ることが行われている。本出願人は特願平１０−３１９１９０において、手術前に得られた断層画像に基づいて作成した３次元画像データに、手術用顕微鏡の観察位置と処置具先端の位置を重畳して表示するシステムを開示している。
【００８２】
一方、本出願人は特開平９−２８６６３に開示しているように、視野移動機能を備えた内視鏡装置を開示している。この装置は、視野移動を撮像部（硬性鏡・ＴＶカメラ）の位置を固定した状態で行えるため、視野移動時に生体組織に損傷を与えることがなく、安全性が高い。このような点から、処置対象組織が非常にデリケートである脳外科手術に、手術用顕微鏡とこの装置を組み合せたシステムを応用することは、絶大な効果を発揮できると考えられる。
【００８３】
（付記項１〜３が解決しようとする課題）  手術用顕微鏡と視野移動機能を備えた内視鏡装置を組み合せて用いる場合、内視鏡の先端位置を検出して前述の３次元画像データに重畳して表示することで、術者に内視鏡装置での観察範囲と患者の解剖とを関連付けて掌握可能な情報を呈示できる。しかしながら、従来の位置検出手段で検出されるのは内視鏡先端の位置である。視野移動機能を有しない通常の撮像装置が内視鏡と組み合わされている場合、内視鏡の視軸中心は撮像画像の中心と一致するため、内視鏡先端位置はほぼ撮像画像範囲を表していると言える。しかしながら、前述の視野移動機能を備えた内視鏡装置の場合は、視野移動を行うことにより撮像画像の中心は内視鏡の光軸中心からずれる。よって、この内視鏡装置を従来のシステムに用いた場合、検出された内視鏡先端位置は撮像画像の観察位置を表してはいない。
【００８４】
（付記項１〜３の目的）  視野移動を行った状態でも、撮像画像の観察位置を検出して術者に呈示することが可能である、手術用顕微鏡と視野移動機能を有する内視鏡装置とを組み合せた手術用顕微鏡システムの提供。
【００８５】
（付記項４〜７が解決しようとする課題）  前述の内視鏡装置において、視野移動を行う入力手段は処置具に取り付けられた操作スイッチや、フットスイッチ、あるいは音声認識装置などがあるが、いずれも視野移動方向（上下左右斜め）を入力するものである。この入力手段を用いて、観察したい領域への視野移動を行うには１アクションの操作で済ますことは困難であり、煩雑な操作を必要とする。その上、撮像装置の上下左右方向のオリエンテーションが掴みづらい場合は、意図した方向への視野移動ができずに混乱してしまうおそれがある。
【００８６】
（付記項４〜７の目的）  簡単な操作で、直接的に観察したい領域に内視鏡画像の視野移動を行うことができる、手術用顕微鏡と視野移動機能を有する内視鏡装置とを組み合せた手術用顕微鏡システムの提供。
【００８７】
（付記項１〜７の効果）  本発明によれば、視野移動機能を有する内視鏡装置の観察位置を、術部に対する３次元位置として検出することにより、視野移動を行った状態でも、撮像画像の観察位置を検出して術者に呈示することが可能である、手術用顕微鏡と視野移動機能を有する内視鏡装置とを組み合せた手術用顕微鏡システムを提供することができる。
【００８８】
（付記項８）  術部に関する３次元画像データを保持する画像データ保持手段と、
前記術部の所望の部位を観察する観察手段と、
前記観察手段に設けられ、前記観察手段の視野を移動する視野移動手段と、
前記観察手段の３次元位置を検出する位置検出手段と、
前記画像データ保持手段の保持する前記術部の３次元画像データ、前記位置検出手段および前記視野移動手段による前記観察手段の視野の移動情報により、前記観察手段が観察している前記術部の所望の部位の、前記術部に対する３次元位置を演算するとともに、前記術部の３次元画像データに重畳して、前記演算部による演算結果により求められた前記術部の所望の部位の、前記術部に対する３次元位置を表示出力する演算部と、
を備えたことを特徴とする術部観察システム。
【００８９】
（付記項９）  前記観察手段は、
挿入部を有する内視鏡と、
被検体の観察像を撮像する撮像手段、前記観察像の変倍を行う変倍光学系、および前記撮像手段の撮像範囲を移動させる撮像範囲移動手段、前記変倍光学系を移動させる変倍光学系移動手段のうちの少なくとも一方の手段、を有し、前記内視鏡に着脱自在に連結されるＴＶカメラと、
を備えたことを特徴とする付記項８に記載の術部観察システム。
【００９０】
（付記項１０）  術部に関する３次元画像データを保持する画像データ保持手段と、
前記術部の所望の部位を観察する観察手段と、
前記観察手段に設けられ、前記観察手段の視野を移動する視野移動手段と、
前記観察手段の３次元位置を検出する位置検出手段と、
前記画像データ保持手段の保持する前記術部の３次元画像データ、前記位置検出手段および前記視野移動手段による前記観察手段の視野の移動情報により、前記観察手段が観察している前記術部の所望の部位の、前記術部に対する３次元位置を演算するとともに、前記術部の３次元画像データに重畳して、前記演算部による演算結果により求められた前記術部の所望の部位の、前記術部に対する３次元位置を表示出力する演算部と、
前記演算部の表示出力を表示する表示手段と、
前記表示手段で表示された前記術部の画像に対して前記観察手段の観察する観察目的位置を入力する入力手段と、
前記入力手段からの信号に基づいて、前記観察目的位置に前記観察手段の視野を移動させる観察手段駆動制御手段と、
を備えたことを特徴とする術部観察システム。
【００９１】
（付記項８〜１０の課題）  （１）視野移動を行う内視鏡装置の撮像画像の中心が内視鏡の光軸中心よりずれるので、検出された内視鏡の先端位置は撮像画像の観察位置を表していない。（２）従来の視野移動の入力手段では意図した方向への視野移動が容易にできない。
【００９２】
（付記項８〜１０の手段）  （１）内視鏡を固定したままで内部のＣＣＤを移動させて視野移動を行う。（２）タッチパネルを設置したモニタに表示された画像上の任意の部位に触れることにより観察部位を指示し、視野移動を行う。
【００９３】
（付記項１１）  術部に関する３次元画像データを保持する画像データ保持手段と、
前記術部を観察する第１の観察手段と、
前記第１の観察手段に設けられ、前記第１の観察手段の３次元位置を検出する第１の検出手段と、
前記術部の所望の部位を観察する第２の観察手段と、
前記第２の観察手段に設けられ、前記第２の観察手段の視野を移動する視野移動手段と、
前記第２の観察手段を保持して移動し、所望の位置に固定する移動手段と、
前記第２の観察手段または前記移動手段に設けられ、前記第２の観察手段の３次元位置を検出する第２の検出手段と、
前記画像データ保持手段の保持する前記術部の３次元画像データ、前記第１の検出手段、前記第２の検出手段および前記視野移動手段による前記第２の観察手段の視野の移動情報により、前記第２の観察手段が観察している前記術部の所望の部位の、前記術部に対する３次元位置を演算するとともに、前記術部の３次元画像データに重畳して、前記演算部による演算結果により求められた前記術部の所望の部位の、前記術部に対する３次元位置を表示出力する演算部と、
を備えたことを特徴とする手術用顕微鏡システム。
【００９４】
（付記項１２）  前記第２の観察手段は、
挿入部を有する内視鏡と、
被検体の観察像を撮像する撮像手段、前記観察像の変倍を行う変倍光学系、および前記撮像手段の撮像範囲を移動させる撮像範囲移動手段、前記変倍光学系を移動させる変倍光学系移動手段のうちの少なくとも一方の手段、を有し、前記内視鏡に着脱自在に連結されるＴＶカメラと、
を備えたことを特徴とする付記項１１に記載の手術用顕微鏡システム。
【００９５】
（付記項１３）  術部に関する３次元画像データを保持する画像データ保持手段と、
前記術部を観察する第１の観察手段と、
前記第１の観察手段に設けられ、前記第１の観察手段の３次元位置を検出する第１の検出手段と、
前記術部の所望の部位を観察する第２の観察手段と、
前記第２の観察手段に設けられ、前記第２の観察手段の視野を移動する視野移動手段と、
前記第２の観察手段を保持して移動し、所望の位置に固定する移動手段と、
前記第２の観察手段または前記移動手段に設けられ、前記第２の観察手段の３次元位置を検出する第２の検出手段と、
前記画像データ保持手段の保持する前記術部の３次元画像データ、前記第１の検出手段、前記第２の検出手段および前記視野移動手段による前記第２の観察手段の視野の移動情報により、前記第２の観察手段が観察している前記術部の所望の部位の、前記術部に対する３次元位置を演算するとともに、前記術部の３次元画像データに重畳して、前記演算部による演算結果により求められた前記術部の所望の部位の、前記術部に対する３次元位置を表示出力する演算部と、
前記演算部の表示出力を表示する表示手段と、
前記表示手段で表示された前記術部の画像に対して前記第２の観察手段の観察する観察目的位置を入力する入力手段と、
前記入力手段からの信号に基づいて、前記観察目的位置に前記第２の観察手段の視野を移動させる観察手段駆動制御手段と、
を備えたことを特徴とする手術用顕微鏡システム。
【００９６】
（付記項１４）  術部に関する３次元画像データを保持する記憶部と、
前記術部の所望の部位を観察する内視鏡と、
この内視鏡に着脱自在に連結されるＴＶカメラと、
前記ＴＶカメラに設けられ、前記ＴＶカメラの視野を移動するＣＣＤ移動機構と、
前記ＴＶカメラの３次元位置を検出するデジタイザと、
前記記憶部が保持する前記術部の３次元画像データ、前記デジタイザおよび前記ＣＣＤ移動機構による前記ＴＶカメラの視野の移動情報により、前記ＴＶカメラが観察している前記術部の所望の部位の前記術部に対する３次元位置を演算するとともに、この演算結果により求められた前記術部の所望の部位の前記術部に対する３次元位置を前記術部の３次元画像データに重畳して表示出力するワークステーションと
を具備することを特徴とする術部観察システム。
【００９７】
（付記項１５）  前記ＴＶカメラの３次元位置を検出する手段は、前記ＴＶカメラを保持する多関節マニピュレータの動作を検出することにより、生体座標系におけるＴＶカメラの観察位置を検出するものであることを特徴とする付記項１４に記載の術部観察システム。
【００９８】
【発明の効果】
請求項１の発明によれば、視野移動機能を有する内視鏡装置の観察位置を、術部に対する３次元位置として検出するようにしたので、手術用顕微鏡と、視野移動機能を備えた内視鏡装置とを組み合せたシステムを使用して、視野移動を行った場合でも、撮像画像の観察位置を正しく検出して術者に呈示することができる。
【００９９】
請求項２の発明によれば、内視鏡と、この内視鏡に着脱自在に連結されるＴＶカメラとによって観察手段を構成し、内視鏡によって観察される被検体の観察像をＴＶカメラの撮像手段によって撮像して変倍光学系によって観察像の変倍を行うとともに、撮像範囲移動手段によって撮像手段の撮像範囲を移動させ、または変倍光学系移動手段によって変倍光学系を移動させるようにしたので、手術用顕微鏡と、視野移動機能を備えた内視鏡装置とを組み合せたシステムを使用して、視野移動を行った場合でも、撮像画像の観察位置を正しく検出して術者に呈示することができる。
【０１００】
請求項３の発明によれば、請求項１の演算部からの表示出力を表示手段に表示させ、この表示手段で表示された術部の画像に対して入力手段によって観察手段が観察する観察目的位置を入力したのち、この入力手段からの信号に基いて観察手段駆動制御手段によって視野移動手段を駆動制御して観察目的位置に観察手段の視野を移動させるようにしたので、手術用顕微鏡と、視野移動機能を備えた内視鏡装置とを組み合せたシステムを使用して、視野移動を行った場合でも、撮像画像の観察位置を正しく検出して術者に呈示することができる。
【図面の簡単な説明】
【図１】  本発明の第１の実施の形態の術部観察システムにおける手術用顕微鏡システム全体の概略構成図。
【図２】  第１の実施の形態の手術用顕微鏡における鏡体部分を拡大して示す側面図。
【図３】  第１の実施の形態の手術用顕微鏡におけるシステム全体の接続状態を示すブロック図。
【図４】  第１の実施の形態の手術用顕微鏡における鏡体部の内部構成を示す縦断面図。
【図５】  第１の実施の形態の手術用顕微鏡におけるＴＶカメラの内部構成を示す縦断面図。
【図６】  本発明の第２の実施の形態の手術用顕微鏡におけるシステム全体の接続状態を示すブロック図。
【図７】  第２の実施の形態の手術用顕微鏡における鏡体部分を拡大して示す側面図。
【図８】  本発明の第３の実施の形態の手術用顕微鏡におけるシステム全体の接続状態を示すブロック図。
【図９】  第３の実施の形態の手術用顕微鏡における３次元画像データが表示されるモニタ画像を示す正面図。
【図１０】  第３の実施の形態の手術用顕微鏡における視野移動動作指令の動作を説明するためのフローチャート。
【符号の説明】
１    手術用顕微鏡
２３    ワークステーション（演算部）
２３ａ    記憶部（画像データ保持手段）
２６    デジタイザ（位置検出手段）
３３    硬性鏡（観察手段）
３４    ＴＶカメラ（観察手段）
３７    モニタ（表示手段）
３８    視野移動指令スイッチ（入力手段）
４０    ズームレンズ（変倍光学系）
４１    ズームレンズ移動機構（変倍光学系移動手段）
４２    ＣＣＤ（撮像手段）
４３    ＣＣＤ移動機構（撮像範囲移動手段）
【図１】
0004460700.tif 000002
【図２】
0004460700.tif 000003
【図３】
0004460700.tif 000004
【図４】
0004460700.tif 000005
【図５】
0004460700.tif 000006
【図６】
0004460700.tif 000007
【図７】
0004460700.tif 000008
【図８】
0004460700.tif 000009
【図９】
0004460700.tif 000010
【図１０】
0004460700.tif 000011